(57)【要約】  発光素子を用いてデジタル情報データを伝送する監視カメラ情報送信装置（３０）と、受光素子を用いてデジタル情報データを受信する監視カメラ情報受信装置（４０）とを有する監視カメラ診断システムであって、監視カメラ（１１）の動作状態に応じて監視カメラ情報送信装置（３０）の発光部（３７）から発せられた可視光線（Ｒ）を、監視カメラ情報受信装置（４０）の受光部（４１）によって受光して、この受光した可視光線（Ｒ）を監視カメラ情報受信装置（４０）によって解析する。
2019092851.tif 000002
【特許請求の範囲】
【請求項１】
発光素子を用いてデジタル情報データを伝送する監視カメラ情報送信装置と、受光素子を用いて前記デジタル情報データを受信する監視カメラ情報受信装置とを有する監視カメラ診断システムであって、
前記監視カメラ情報送信装置は、
監視カメラの内部における複数のテストポイントの動作状態に対応したデータ系列を変調して、変調データ系列を出力するデータ変調部と、
既知信号系列を生成して出力する既知信号生成部と、
固有パターン系列を生成して出力する変調指示部と、
前記固有パターン系列を用いて前記既知信号系列を変調して、変調パターン系列を出力する既知信号変調部と、
前記変調データ系列と前記変調パターン系列とを合成して、合成信号を出力する合成部と、
前記合成信号の値を非負値の強度に変換して、駆動信号を出力する駆動部と、
前記発光素子を有し、前記駆動信号の値に応じた強度で変調光を出力する発光部とを備え、
前記監視カメラ情報受信装置は、
前記発光部から送り出された可視光線を受光する前記受光素子を有し、前記受光素子の受光強度に応じた非負値を、強度信号として出力する受光部と、
前記強度信号を振幅値に変換して、解析信号を出力する変換部と、
前記解析信号から前記データ系列を復調するデータ復調部とを備えた
ことを特徴とする監視カメラ診断システム。
【請求項２】
前記データ変調部は、
前記固有パターン系列を用いて前記データ系列を変調して、前記変調データ系列を出力する
ことを特徴とする請求項１記載の監視カメラ診断システム。
【請求項３】
前記受光素子は、前記監視カメラを撮影するための撮像素子である
ことを特徴とする請求項１記載の監視カメラ診断システム。
【請求項４】
前記変換部は、
前記撮像素子によって検出した受光信号のうち、予め指定した撮影画面領域内の受光信号に対応した前記強度信号のみを、振幅値に変換して、前記解析信号を出力する
ことを特徴とする請求項３記載の監視カメラ診断システム。
【請求項５】
前記変換部は、
前記撮像素子によって検出した受光信号の輝度変化量が所定値以上になった場合にのみ、前記強度信号を振幅値に変換して、前記解析信号を出力する
ことを特徴とする請求項３記載の監視カメラ診断システム。
【請求項６】
前記テストポイントの出力は、
前記監視カメラにおける内部回路の電圧値、電流値、及び、消費電力値のうち、少なくともいずれか１つである
ことを特徴とする請求項１記載の監視カメラ診断システム。
【請求項７】
前記テストポイントの出力は、
前記監視カメラの姿勢制御、または、前記監視カメラの画角調整、あるいは、前記監視カメラの画質調整を行うためのカメラ設定値である
ことを特徴とする請求項１記載の監視カメラ診断システム。
【請求項８】
前記テストポイントの出力は、前記監視カメラの映像データ量である
ことを特徴とする請求項１記載の監視カメラ診断システム。
【発明の詳細な説明】
【技術分野】
【０００１】
この発明は、監視カメラの動作状態を診断する監視カメラ診断システムに関する。
【背景技術】
【０００２】
近年、映像セキュリティに対する関心については、非常に高くなっており、屋内及び屋外を問わず様々な場面で、映像監視システムの導入が進められている。例えば、複数の監視カメラの映像を分析することにより、人物の追跡及び行動予測が可能となるため、金融機関及び商業施設を初めとした大規模監視ネットワークにおいては、特に映像の活用が期待されている。【０００３】
また、大規模映像監視システムにおいては、可能な限り多くの映像を参照分析して、予測精度を向上させることが肝要となるため、多数の監視カメラをネットワークに接続させる必要がある。更に、このような監視カメラネットワークにおいては、監視カメラの動作状態を定期的に診断する必要がある。【０００４】
そこで、従来から、監視カメラが正常に稼働しているか否かを診断する監視カメラ診断装置が、種々提供されている。そして、このような、従来の監視カメラ診断装置としては、例えば、特許文献１に開示されている。
【先行技術文献】
【特許文献】
【０００５】
【特許文献１】特開２００２−７７９５２号公報
【発明の概要】
【発明が解決しようとする課題】
【０００６】
上記従来の監視カメラ診断装置は、自己診断用のＬＥＤを監視カメラに設けており、当該監視カメラによって、そのＬＥＤの点滅を撮影可能としている。そして、従来の監視カメラ診断装置は、ＬＥＤを点滅させる点滅制御信号の周期と、撮影したＬＥＤの点滅映像から算出した点滅時期とが、一致した場合に、監視カメラが正常に稼働していると判断する一方、それらが一致しない場合には、監視カメラの稼働に異常があると判断して、その旨を映像表示器に表示する。【０００７】
しかしながら、従来の監視カメラ診断装置は、監視カメラの診断を行う場合に、当該監視カメラを、通常の監視モードから診断モードに切り替えなければならない。このため、従来の監視カメラ診断装置は、監視カメラの診断時において、その監視カメラによる映像監視を行うことができない。【０００８】
更に、従来の監視カメラ診断装置によって得られた診断結果のデータは、監視カメラから映像表示器に向けて、監視カメラネットワークを利用して送信されることになる。しかしながら、監視カメラの設置位置に制約が生じると、その監視カメラを監視カメラネットワークに接続させることができない場合ある。このような場合には、従来の監視カメラ診断装置は、監視カメラの診断を行うことができない。【０００９】
この発明は、上記課題を解決するものであって、ネットワークに未接続となる監視カメラがある場合でも、映像監視を継続しつつ、そのネットワークに未接続となる監視カメラの診断を行うことができる監視カメラ診断システムを提供することを目的とする。
【課題を解決するための手段】
【００１０】
この発明に係る監視カメラ診断システムは、発光素子を用いてデジタル情報データを伝送する監視カメラ情報送信装置と、受光素子を用いてデジタル情報データを受信する監視カメラ情報受信装置とを有する監視カメラ診断システムであって、監視カメラ情報送信装置は、監視カメラの内部における複数のテストポイントの動作状態に対応したデータ系列を変調して、変調データ系列を出力するデータ変調部と、既知信号系列を生成して出力する既知信号生成部と、固有パターン系列を生成して出力する変調指示部と、固有パターン系列を用いて既知信号系列を変調して、変調パターン系列を出力する既知信号変調部と、変調データ系列と変調パターン系列とを合成して、合成信号を出力する合成部と、合成信号の値を非負値の強度に変換して、駆動信号を出力する駆動部と、発光素子を有し、駆動信号の値に応じた強度で変調光を出力する発光部とを備え、監視カメラ情報受信装置は、発光部から送り出された可視光線を受光する受光素子を有し、受光素子の受光強度に応じた非負値を、強度信号として出力する受光部と、強度信号を振幅値に変換して、解析信号を出力する変換部と、解析信号からデータ系列を復調するデータ復調部とを備えたものである。
【発明の効果】
【００１１】
この発明によれば、ネットワークに未接続となる監視カメラがある場合でも、映像監視を継続しつつ、そのネットワークに未接続となる監視カメラの診断を行うことができる。
【図面の簡単な説明】
【００１２】
【図１】この発明の実施の形態１に係る監視カメラ診断システムの概略構成図である。
【図２】この発明の実施の形態１に係る監視カメラ診断システムにおける監視カメラ情報送信装置及び監視カメラ情報受信装置の構成を示したブロック図である。
【図３】データ変調部の動作例を示した図である。
【図４】ネットワークに接続されていない複数の監視カメラに対してＩＤを割り当てた例を示した図である。図４Ａは８個の監視カメラに対して、ＩＤをそれぞれ個別に割り当てた例を示した図である。図４Ｂは４個の監視カメラを一群として、この一群ごとにそれぞれ個別に割り当てた例を示した図である。
【図５】既知信号変調部の動作例を示した図である。図５Ａは変調パターン系列の出力例を示した図である。図５Ｂは変調パターン系列の他の出力例を示した図である。
【図６】合成部の動作例を示した図である。図６Ａは合成信号の出力例を示した図である。図６Ｂは合成信号の他の出力例を示した図である。
【図７】合成部の他の動作例を示した図である。
【図８】受光部の構成例を示した図である。図８Ａは受光部を単一のＰＤ素子で構成した例を示した図である。図８Ｂは受光部を複数のＰＤ素子で構成した例を示した図である。図８Ｃは受光部を単一の光センサ素子で構成した例を示した図である。図８Ｄは受光部を複数の光センサ素子で構成した例を示した図である。
【図９】データ復調部の動作例を示した図である。
【図１０】図９に示したデータ復調部の動作例に続く、動作例を示した図である。
【図１１】既知信号検出部の動作例を示した図である。
【図１２】この発明の実施の形態１に係る監視カメラ診断システムにおける監視カメラ情報送信装置及び監視カメラ情報受信装置の構成を示したブロック図である。
【図１３】データ変調部の動作例を示した図である。
【発明を実施するための形態】
【００１３】
以下、この発明をより詳細に説明するために、この発明を実施するための形態について、添付の図面に従って説明する。
【００１４】
実施の形態１．
図１は、実施の形態１に係る監視カメラ診断システムが、大規模映像監視システムに適用された場合の概略構成図である。この大規模映像監視システムは、複数の監視カメラ１１，１２の撮影によって、映像監視を行うものである。しかしながら、大規模映像監視システムを構成する複数の監視カメラ１１，１２の中には、その設置位置の制約から、その他の監視カメラ１２との間で、ネットワーク１３によって接続することができない監視カメラ１１もある。
【００１５】
そこで、図１に示すように、実施の形態１に係る監視カメラ診断システムは、ネットワーク１３に接続されていない孤立した監視カメラ１１の動作状態を、ネットワーク１３に接続された監視カメラ１２によって常時撮影することにより、監視カメラ１１を診断可能としたものである。
【００１６】
図１に示すように、監視カメラ１１の内部には、電源回路２１、スイッチ回路２２、駆動回路２３、及び、光学回路２４等の複数の内部回路が設けられており、これらの内部回路２１〜２４は、時分割信号処理部２５に接続されている。また、時分割信号処理部２５には、ＬＥＤ２６が接続されている。
【００１７】
そして、各内部回路２１〜２４は、テストポイントとして、それぞれ規定されており、それらの内部回路２１〜２４の動作状態を示すパターン信号は、時分割信号処理部２５に向けて送信可能となっている。テストポイントは、監視カメラ１１の動作状態を診断するための診断箇所となっている。
【００１８】
時分割信号処理部２５においては、内部回路２１〜２４ごとに処理時間を微小に分割しており、内部回路２１〜２４から順にパターン信号を受信した後、そのパターン信号の波形に応じて、ＬＥＤ２６を点滅させる。つまり、ＬＥＤ２６は、複数の内部回路２１〜２４における各動作状態を、それらの出力となるパターン信号に応じて点滅パターンとして表示する。
【００１９】
なお、テストポイントは、上記内部回路２１〜２４の他に、監視カメラ１１の姿勢を制御するための姿勢制御回路、監視カメラ１１の画角を調整するための画角調整回路、監視カメラ１１の画質を調整するための画質調整回路、監視カメラ１１が撮影した際の映像データを記録するためのカメラ映像記録装置等である。
【００２０】
このため、テストポイントの出力としては、内部回路２１〜２４の電圧値、電流値、及び、消費電力値のうち、少なくともいずれか１つである。また、テストポイントの出力は、監視カメラ１１の姿勢制御、または、監視カメラ１１の画角調整、あるいは、監視カメラ１１の画質調整を行うためのカメラ設定値である。更に、テストポイントの出力は、監視カメラ１１の映像データ量である。
【００２１】
これに対して、監視カメラ１２は、監視カメラ１１に隣接しており、映像監視を行いながら、その監視カメラ１１におけるＬＥＤ２６の点滅状態を撮影可能となっている。つまり、監視カメラ１２の撮影映像には、当該監視カメラ１２が映像監視状態であっても、監視カメラ１１のＬＥＤ２６が写り込んでいる。これにより、監視カメラ１２は、映像監視を継続しつつ、その撮影映像の中から、ＬＥＤ２６の点滅映像を抽出して、このＬＥＤ２６の点滅映像を解析することにより、監視カメラ１１が正常に稼働しているか否かを診断している。
【００２２】
図２に示すように、実施の形態１に係る監視カメラ診断システムは、監視カメラ情報送信装置３０と監視カメラ情報受信装置４０とを有している。監視カメラ情報送信装置３０は、ネットワーク１３に接続されていない監視カメラ１１に装備されている。監視カメラ情報受信装置４０は、ネットワーク１３に接続されている監視カメラ１２に装備されている。そして、監視カメラ情報送信装置３０と監視カメラ情報受信装置４０とは、後述する可視光線Ｒを通信媒体として、デジタル情報データの送受信を行うものである。
【００２３】
先ず、監視カメラ情報送信装置３０の構成について、図２から図７を用いて説明する。
【００２４】
図２に示すように、監視カメラ情報送信装置３０は、データ変調部３１、既知信号生成部３２、変調指示部３３、既知信号変調部３４、合成部３５、駆動部３６、及び、発光部３７を有している。
【００２５】
データ変調部３１は、入力されたデータ系列Ｘを変調して、変調データ系列Ｍを出力する機能を有している。データ系列Ｘは、デジタル情報データであって、上記テストポイントにおける動作状態に対応するものである。このとき、データ変調部３１における変調方式としては、パルス幅変調、パルス振幅変調、パルス密度変調、パルス位置変調、及び、パルス符号変調等を用いたパルス変調方式が適用されている。
【００２６】
特に、監視カメラ情報送信装置３０を、診断用のＬＥＤ２６を有する監視カメラ１１に装備する場合には、パルス位置変調を用いたパルス変調方式を採用することにより、変調データ系列Ｍにおける「１」と「０」との比率を容易に維持することができる。これにより、データ変調部３１は、ＬＥＤ２６における光の揺らぎを抑えることができる。
【００２７】
図３は、データ変調部３１の動作例を示している。この図３に示すように、データ変調部３１によるパルス変調方法は、データ系列Ｘに対して、その２倍のレートで変調をして、変調データ系列Ｍを出力する手法となっている。
【００２８】
例えば、Ｘ＝「００」のときは、Ｍ＝「０１１１」と変調する。また、Ｘ＝「０１」のときは、Ｍ＝「１０１１」と変調する。更に、Ｘ＝「１０」のときは、Ｍ＝「１１０１」と変調する。そして、Ｘ＝「１１」のときは、Ｍ＝「１１１０」と変調する。
【００２９】
これにより、変調データ系列Ｍにおける「１」と「０」との比率は、常に３：１となるため、ＬＥＤ２６から発せられる光には、揺らぎが生じない。また、データ変調部３１における変調方式としては、振幅偏移変調、位相偏移変調、周波数偏移変調、及び、直角位相振幅変調等を用いたデジタル変調方式を適用することもできる。
【００３０】
よって、データ変調部３１は、上述したパルス変調方式またはデジタル変調方式によって変調した信号を、所定周波数のキャリアに重畳し、これを変調データ系列Ｍとして出力することが可能となる。このとき、データ変調部３１は、シングルキャリア変調またはマルチキャリア変調を行う機能を有しても構わない。
【００３１】
なお、データ変調部３１における変調方式としては、上述したパルス変調方式及びデジタル変調方式に替えて、８Ｂ／１０Ｂ符号化方式または６４Ｂ６６Ｂ符号化方式を採用しても構わない。
【００３２】
既知信号生成部３２は、既知信号系列Ｐを生成して出力する機能を有している。既知信号系列Ｐは、例えば、「１」または「０」で表現されるデジタル信号系列であり、個々の監視カメラ１１、または、複数の監視カメラ１１から構成される監視カメラ群を個別に識別するための固有番号及びＩＤに対応した系列である。
【００３３】
図４Ａ及び図４Ｂは、監視カメラ情報送信装置３０を、ネットワーク１３に接続されていない複数の監視カメラ１１に装備する場合に、各監視カメラ１１にＩＤに対して割り当てた例を示している。
【００３４】
図４Ａは、８個の監視カメラ１１に対して、ＩＤ１〜ＩＤ８をそれぞれ割り当てた例を示している。ＩＤ１〜ＩＤ８が割り当てられた各監視カメラ１１には、それぞれ異なった既知信号系列Ｐが対応している。
【００３５】
一方、図４Ｂは、４個の監視カメラ１１を一群とし、この一群ごとにＩＤ１，ＩＤ２をそれぞれ割り当てた例を示している。ＩＤ１，ＩＤ２が割り当てられた各群を構成する監視カメラ１１には、それぞれ同一の既知信号系列Ｐが対応しており、それら２つの既知信号系列Ｐは、異なったデジタル信号系列となっている。
【００３６】
変調指示部３３は、固有パターン系列Ｓを生成して出力する機能を有している。固有パターン系列Ｓは、例えば、「１」または「０」で表現されるデジタル信号系列であり、既知信号系列Ｐの信号レートを上回る信号レートを有している。また、固有パターン系列Ｓは、個々の監視カメラ１１、または、複数の監視カメラ１１から構成される監視カメラ群を個別に識別するための固有番号及びＩＤに対応した系列である。
【００３７】
例えば、図４Ａに示すように、８個の監視カメラ１１には、それぞれ異なった固有パターン系列Ｓが対応している。一方、図４Ｂに示すように、一群を構成する４個の監視カメラ１１には、同一の固有パターン系列Ｓが対応している。
【００３８】
但し、監視カメラ同士または監視カメラ群同士が隣接している場合には、それらの間で、可能な限り低相関となる固有パターン系列Ｓを割り当てることが望ましい。これに対応して、既知信号系列Ｐは、隣接した監視カメラ同士または監視カメラ群同士との間で、異なったデジタル信号系列とすることが望ましい。
【００３９】
既知信号変調部３４は、固有パターン系列Ｓを用いて既知信号系列Ｐを変調して、変調パターン系列Ｑを出力する機能を有している。この既知信号変調部３４においては、既知信号系列Ｐが「０」となる場合には、固有パターン系列Ｓをそのまま変調パターン系列Ｑとして出力する。一方、既知信号系列Ｐが「１」となる場合には、固有パターン系列Ｓに対して、所定の信号処理を行い、その処理結果を変調パターン系列Ｑとして出力する。但し、既知信号系列Ｐと固有パターン系列Ｓとは、時間同期が確立されていることが望ましい。
【００４０】
図５Ａ及び図５Ｂは、既知信号変調部３４の動作例を示している。図５Ａは、既知信号系列Ｐが「１」となる場合に、固有パターン系列Ｓのビットを反転させた系列を、変調パターン系列Ｑとして出力した例を示している。図５Ｂは、既知信号系列Ｐが「１」となる場合に、固有パターン系列Ｓを「−１」だけシフトさせた系列を、変調パターン系列Ｑとして出力した例を示している。
【００４１】
なお、既知信号変調部３４においては、既知信号系列Ｐが「０」または「１」となる場合に、固有パターン系列Ｓに対して、それぞれ異なった信号処理を行い、その処理結果を変調パターン系列Ｑとして出力する構成であれば、上述した構成に限るものではない。
【００４２】
合成部３５は、変調データ系列Ｍと変調パターン系列Ｑとを合成して、その合成結果を合成信号Ｃとして出力する機能を有している。
【００４３】
図６Ａ及び図６Ｂは、合成部３５の動作例を示している。図６Ａは、変調データ系列Ｍと変調パターン系列Ｑとを時間的に多重させて、合成信号Ｃを出力する例を示している。図６Ｂは、変調データ系列Ｍと変調パターン系列Ｑとを時間的に多重させる際に、変調パターン系列Ｑを複数回繰り返し挿入して、合成信号Ｃを出力する例を示している。
【００４４】
また、図７は、合成部３５の他の動作例を示している。この図７に示すように、変調データ系列Ｍと変調パターン系列Ｑとは、周波数的に多重しており、変調パターン系列Ｑは、複数回繰り返して挿入されている。なお、変調パターン系列Ｑの挿入回数は、１回であっても構わない。
【００４５】
駆動部３６は、合成信号Ｃの値を非負値の強度に変換して、駆動信号Ｄを出力する機能を有している。例えば、駆動部３６は、合成信号Ｃの振幅に基づいて瞬時電力を算出し、その算出結果を駆動信号Ｄとして出力することができる。また、駆動部３６は、合成信号Ｃにオフセットを印加することによって、合成信号Ｃを非負値に変換し、その変換結果を駆動信号Ｄとして出力することもできる。非負値は、「０」または「正の整数」となる値である。
【００４６】
発光部３７は、駆動信号Ｄの値に応じた強度で、変調光Ｔを出力する機能を有している。発光部３７は、単一の発光素子となるＬＥＤ２６、または、発光素子の集合体で構成されるＬＥＤ２６によって形成される。
【００４７】
次に、監視カメラ情報受信装置４０の構成について、図２及び図８から図１１を用いて説明する。
【００４８】
図２に示すように、監視カメラ情報受信装置４０は、受光部４１、変換部４２、データ復調部４３、及び、既知信号検出部４４を有している。
【００４９】
受光部４１は、監視カメラ情報送信装置３０における発光部３７から送り出された可視光線Ｒを受光し、当該受光部４１の受光強度に応じた非負値を強度信号Ｌ１として出力する機能を有している。受光部４１は、単一の受光素子、または、受光素子の集合体で構成されており、その受光素子は、監視カメラ１１におけるＬＥＤ２６の点滅映像を撮影するための撮像素子である。
【００５０】
図８Ａから図８Ｄは、受光部４１の構成例を示している。図８Ａは、受光部４１を単一のPhoto Detector素子（以下、ＰＤ素子と称す）で構成した例を示している。図８Ｂは、受光部４１を複数のＰＤ素子で構成した例を示している。図８Ｃは、受光部４１を単一の光センサ素子で構成した例を示している。図８Ｄは、受光部４１を複数の光センサ素子で構成した例を示している。
【００５１】
変換部４２は、強度信号Ｌ１を振幅値に変換して、解析信号Ｌ２を出力する機能を有している。具体的には、変換部４２は、強度信号Ｌ１を、信号処理可能な値となるように増幅させた後、その増幅結果を電圧値に変換した信号を、解析信号Ｌ２として出力する。
【００５２】
なお、変換部４２は、監視カメラ１２の撮影画面上における強度信号Ｌ１を振幅値に変換する領域、即ち、ＬＥＤ２６の点滅を検出する領域を、予め指定しておいても構わない。これにより、変換部４２は、予め指定した撮影画面領域における受光信号の輝度変化量のみを検出することができるため、信号処理量の削減を図ることができる。
【００５３】
また、変換部４２は、強度信号Ｌ１の時間変化量が所定値以上になった場合にのみ、強度信号Ｌ１を振幅値に変換しても構わない。これにより、変換部４２は、受光信号の輝度変化量が所定値以上になった場合にのみ、監視カメラ１１の動作状態を検出すればよく、信号処理量及び消費電力の削減を図ることができる。
【００５４】
データ復調部４３は、解析信号Ｌ２からデータ系列Ｙを復調する機能を有している。つまり、データ復調部４３は、解析信号Ｌ２に含まれる、変調パターン系列Ｑの検出除去機能、及び、変調データ系列Ｍの復調機能を有している。
【００５５】
図９は、データ復調部４３の動作例であって、データ復調部４３における変調パターン系列Ｑの検出除去機能を示している。この図９に示したデジタル信号系列においては、変調データ系列Ｍの先頭に、独自系列となるプリアンブルＷを付加している。
【００５６】
従って、データ復調部４３においては、上記デジタル信号系列を受信した際に、プリアンブルＷを定期的に検出することができるため、当該プリアンブルＷの直前におけるデジタル信号系列が変調パターン系列Ｑであることを、認識することができる。これにより、データ復調部４３は、変調パターン系列Ｑの検出除去機能を有することができる。
【００５７】
図１０は、図９におけるデータ復調部４３の動作例に続く動作例であって、データ復調部４３における変調データ系列Ｍの復調機能を示している。この図１０に示した構成は、図３に示したデータ変調を施した場合の構成例に相当しており、簡素な信号処理で変調データ系列Ｍを復調することができる。
【００５８】
なお、解析信号Ｌ２に含まれる変調パターン系列Ｑの検出除去機能、及び、変調データ系列Ｍの復調機能は、上述した方法とは異なった方法で実現されてもよい。
【００５９】
既知信号検出部４４は、解析信号Ｌ２と固有パターン系列Ｓとの相関値を相関信号Ｆとして出力する機能を有している。固有パターン系列Ｓは、監視カメラ情報送信装置３０における固有パターン系列Ｓと同じデジタル信号系列である。
【００６０】
図１１は、既知信号検出部４４の動作例を示す。この図１１に示すように、既知信号検出部４４は、相関部４４ａ、電力算出部４４ｂ、及び、検出部４４ｃを有している。
【００６１】
相関部４４ａは、解析信号Ｌ２と固有パターン系列Ｓとの乗算を行い、その乗算結果を中間信号Ｋとして出力する。また、電力算出部４４ｂは、中間信号Ｋの電力を算出し、その算出結果を電力信号Ｊとして出力する。これにより、電力算出部４４ｂは、上述した信号処理を行うことにより、解析信号Ｌ２と固有パターン系列Ｓとの相関が最大となるタイミングで、電力信号Ｊの値をピークにすることができる。更に、検出部４４ｃは、先述の電力ピークが発生する時間を検出して、その検出結果を相関信号Ｆとして出力することにより、固有パターン系列Ｓが挿入された時間を、データ復調部４３に提供することができる。
【００６２】
以上より、実施の形態１に係る監視カメラ診断システムによれば、監視カメラ１１の動作状態を、ＬＥＤ２６の点滅パターンで表現し、そのＬＥＤ２６の点滅パターンを監視カメラ１２によって常時撮影する構成とした。これにより、ネットワーク１３に未接続となる監視カメラ１１がある場合でも、監視カメラ１２の撮影による映像監視を継続しつつ、その監視カメラ１１の診断を行えることができる。これと同時に、実施の形態１に係る監視カメラ診断システムは、監視カメラ１１の診断結果情報を、監視カメラ１２からネットワーク１３を通じて、映像表示器に向けて伝送することができる。
【００６３】
また、実施の形態１に係る監視カメラ診断システムは、監視カメラ１１の診断結果を、長期的に記憶することにより、監視カメラ１１の故障時期を予測することができる。これにより、実施の形態１に係る監視カメラ診断システムは、監視カメラ１１の修理時期及び部品交換時期を適切に設定することができるため、保守作業の効率化及び保守費用の低減を図ることができる。
【００６４】
実施の形態２．
実施の形態１に係る監視カメラ診断システムにおいては、データ系列Ｘを変調して、変調データ系列Ｍを出力するようにしていた。これに対して、実施の形態２に係る監視カメラ診断システムにおいては、固有パターン系列Ｓを用いてデータ系列Ｘを変調して、変調データ系列Ｍを出力するようにしている。即ち、実施の形態１と実施の形態２とでは、データ変調部の機能が異なっている。なお、実施の形態２において、実施の形態１に記載した部材と同一の構成及び同一の機能を有するものについては、それらと同一の符号を付して、説明を省略している。
【００６５】
図１２は、実施の形態２に係る監視カメラ診断システムの構成を示すブロック図である。この図１２に示すように、データ変調部５１は、固有パターン系列Ｓの値に応じて、データ系列Ｘを変調するための変調方式を変更した後、その変更した変調方式を用いて、データ系列Ｘを変調して、変調データ系列Ｍを出力する機能を有している。
【００６６】
図１３Ａ及び図１３Ｂは、データ変調部５１の動作例を示している。図１３Ａは、データ系列Ｘが「１」となる場合に、固有パターン系列Ｓのビットを反転させた系列を、変調データ系列Ｍとして出力した例を示している。図１３Ｂは、データ系列Ｘが「１」となる場合に、固有パターン系列Ｓを−１だけシフトさせた系列を、変調データ系列Ｍとして出力した例を示している。このような構成をなすことにより、変調信号に含まれる「１」と「０」との比率を変更することができるため、ＬＥＤ２６の発光強度を調整することができる。
【００６７】
なお、データ変調部５１においては、データ系列Ｘが「０」または「１」となる場合に、固有パターン系列Ｓに対して、それぞれ異なった信号処理を行い、その処理結果を変調データ系列Ｍとして出力する構成であれば、上述した構成に限るものではない。
【００６８】
以上より、実施の形態２に係る監視カメラ診断システムによれば、監視カメラ情報送信装置３０にデータ変調部５１を適用することにより、ＬＥＤ２６の発光強度を調整することができる。これにより、監視カメラ情報受信装置４０は、監視カメラ１２の撮影映像内に、複数のＬＥＤ２６の光が存在する場合であっても、安定した受光強度を得ることができる。
【００６９】
ここで、上述した実施の形態１，２においては、発光部３７として、ＬＥＤ照明機器を適用しても良く、また、受光部４１として、デジタルサイネージ及びスマートフォン等の映像情報機器に含まれる受光素子を適用しても良い。更に、本発明に係る監視カメラ診断システムを、監視カメラネットワークの一時停止または断線時におけるバックアップ用回線として、活用することも可能である。
【００７０】
なお、本願発明は、その発明の範囲内において、各実施の形態の自由な組み合わせ、あるいは、各実施の形態における任意の構成要素の変形、もしくは、各実施の形態における任意の構成要素の省略が可能である。
【産業上の利用可能性】
【００７１】
この発明に係る監視カメラ診断システムは、監視カメラ情報送信装置及び監視カメラ情報受信装置を備えることにより、ネットワークに未接続となる監視カメラがある場合でも、映像監視を継続しつつ、そのネットワークに未接続となる監視カメラの診断を行うことができるため、監視カメラの動作状態を診断する監視カメラ診断システムに適している。
【符号の説明】
【００７２】
１１，１２  監視カメラ、１３  ネットワーク、２１  電源回路、２２  スイッチ回路、２３  駆動回路、２４  光学回路、２５  時分割信号処理部、２６  ＬＥＤ、３０  監視カメラ情報送信装置、３１  データ変調部、３２  既知信号生成部、３３  変調指示部、３４  既知信号変調部、３５  合成部、３６  駆動部、３７  発光部、４０  監視カメラ情報受信装置、４１  受光部、４２  変換部、４３  データ復調部、４４  既知信号検出部、４４ａ  相関部、４４ｂ  電力算出部、４４ｃ  検出部、５１  データ変調部。
【図１】
2019092851.tif 000003
【図２】
2019092851.tif 000004
【図３】
2019092851.tif 000005
【図４】
2019092851.tif 000006
【図５】
2019092851.tif 000007
【図６】
2019092851.tif 000008
【図７】
2019092851.tif 000009
【図８】
2019092851.tif 000010
【図９】
2019092851.tif 000011
【図１０】
2019092851.tif 000012
【図１１】
2019092851.tif 000013
【図１２】
2019092851.tif 000014
【図１３】
2019092851.tif 000015
【国際調査報告】
2019092851.tif 000016
2019092851.tif 000017
2019092851.tif 000018
2019092851.tif 000019